(57)【特許請求の範囲】
【請求項１】
カードが収納されたカセットを、カード販売機側に設けられたカード繰り出し部に装着する際に、前記カセットからのカードの飛び出しを防止するための機構であって、
前記カセットが前記カード繰り出し部に装着された状態にあるときに前記カセットのカード排出口を開放するシャッター機構を備え、
前記シャッター機構は、
前記カセット側に設けられ、前記カード繰り出し部に対する前記カセットの装着方向に沿って作用点と支点と力点とがこの順に配置され、前記作用点側が前記カード排出口を塞ぐように加工されたシャッター部材と、
前記カード繰り出し部側に設けられ、前記カセットが前記カード繰り出し部に装着された状態にあるときに前記シャッター部材の力点側を押圧するように形成されたシャッター押圧部と、を備え、
前記シャッター押圧部は、
前記カセットが前記カード繰り出し部に装着された状態にあるときに前記力点の先端部に当接する凸部と、
前記カセットの装着の際に、前記力点を前記凸部にガイドするガイド部とを備えたことを特徴するカード飛び出し防止機構。
【請求項２】
前記シャッター部材のうち前記支点と前記力点との間には、前記凸部及び前記ガイド部の側に向けて弓状に湾曲した湾曲部が設けられており、
前記カセット装着の際に、前記ガイド部が、前記湾曲部に沿って前記力点を前記凸部にガイドすることを特徴とする請求項１に記載されたカード飛び出し防止機構。
【請求項３】
前記シャッター部材の作用点側が前記カード排出口を塞ぐように、前記シャッター部材を付勢する付勢手段を備えたことを特徴とする請求項１又は請求項２に記載されたカード飛び出し防止機構。
【請求項４】
カード飛び出し防止機構を備えたカード収納用のカセットであって、
前記機構として、
当該カセットの底面側に設けられ、装着方向に沿って作用点と支点と力点とがこの順に配置され、前記作用点側がカード排出口を塞ぐように加工されたシャッター部材と、
当該カセットが装着されるべきカード繰り出し部側に設けられ、当該カセットが前記カード繰り出し部に装着された状態にあるときに前記シャッター部材の力点側を押圧するように形成されたシャッター押圧部と、を備え、
前記シャッター押圧部は、
前記カセットが前記カード繰り出し部に装着された状態にあるときに前記力点の先端部に当接する凸部と、
前記カセットの装着の際に、前記力点を前記凸部にガイドするガイド部と、を備えたことを特徴とするカード収納用のカセット。
【発明の詳細な説明】
【０００１】
【発明の属する技術分野】
この発明は、テレホンカードやプリペイドカードなどのカード販売機に装着されるカード収納用カセットに好適なカード飛び出し防止機構に関する。
【０００２】
【従来の技術】
現在、一定の金額をカード化しておき、商品の対価をカードを用いて支払う商取引が広く行われている。この種のカードとしていわゆるプリカ、ハイカ、テレカなど、多種多様なカードが利用され、コンビニなどで手軽に入手できるようになった。また、カードの販売方式についても、手売り式から店員の操作によるカード販売機を用いた方式が主流になり、カードの在庫管理や手間の利便性も向上している。そこで、この種のカード販売機では、多種多様なカードに対応するため、同一種類のカードを１つのカセットに収納し、カセットごと交換することにより、販売するカードの種類を自由に変更できるようになっている。
【０００３】
図２（ａ）に、従来技術に係るカード収容用のカセットの装着機構の一例を示す。同図において、カセット１００は、商品であるカード２０を収納するものであって、同一種類の複数枚のカード２０が収納されている。カード繰り出し部４００は、カードを販売する際にカセット内のカードを一枚ずつ繰り出すものであって、カード販売機の前面側に設けられている。カセット１００は、カード繰り出し部４００に嵌め込むようにして装着される。
【０００４】
カード繰り出し部４００には、カセット内のカードを送り出すためのローラ４０１と、カードの排出を検知するためのセンサ機構４２０が設けられている。このセンサ機構４２０は、カセット１００のカード排出口から排出されるカードに当接するように設けられたセンサレバー４２１と、このセンサレバー４２１の位置を検知するためのセンサ４２２から構成される。このセンサ機構４２０により、カード排出口から繰り出されたカードが完全に排出されたか否かが把握され、排出口にカードが留まった状態にある場合には排出の異常が検知される。
【０００５】
【発明が解決しようとする課題】
ところで、カードが収納されたカセットを、カード販売機に設けられたカード繰り出し部４００に装着する際に勢いよく差し込むと、図２（ｂ）に示すカード２０Ａのように、カセット１００に収納されていたカードが慣性力や衝撃力などにより半ば飛び出た状態となる場合がある。このような場合、飛び出たカード２０Ａにセンサレバー４０２が当接してセンサ４０３が感応し、カード排出口にカードが詰まった異常状態が検知される結果、カード販売機が正常に機能しなくなる。そのため、カセット１００をカード繰り出し部４００に装着する際には、カセット１００からカードが飛び出ないように細心の注意を払う必要がある上、カセットの装着後にはカードが飛び出ていないかどうかを確認しなければならず、カセットの交換作業が煩雑なものとなっていた。
【０００６】
この発明は、上記事情に鑑みてなされたもので、カード収納用カセットからのカードの飛び出しを防止し、カセットの交換作業を簡単かつ迅速に行うことを可能とするカード飛び出し防止機構および該機構を備えるカード収納用のカセットを提供することを目的とする。
【０００７】
【課題を解決するための手段】
上記課題を解決するため、この発明は以下の構成を有する。
即ち、この発明に係るカード飛び出し防止機構は、カードが収納されたカセットを、カード販売機側に設けられたカード繰り出し部に装着する際に、前記カセットからのカードの飛び出しを防止するための機構であって、前記カセットが前記カード繰り出し部に装着された状態にあるときに前記カセットのカード排出口を開放するシャッター機構を備え、前記シャッター機構は、前記カセット側に設けられ、前記カード繰り出し部に対する前記カセットの装着方向に沿って作用点と支点と力点とがこの順に配置され、前記作用点側が前記カード排出口を塞ぐように加工されたシャッター部材と、前記カード繰り出し部側に設けられ、前記カセットが前記カード繰り出し部に装着された状態にあるときに前記シャッター部材の力点側を押圧するように形成されたシャッター押圧部と、を備え、前記シャッター押圧部は、前記カセットが前記カード繰り出し部に装着された状態にあるときに前記力点の先端部に当接する凸部と、前記カセットの装着の際に、前記力点を前記凸部にガイドするガイド部とを備えたことを特徴する。
この構成によれば、カセットがカード繰り出し部に装着されるまで、カード排出口が閉じられた状態となる。従って、勢いよくカセットをカード繰り出し部に差し込み、カードが飛び出そうとしても、シャッター機構により阻止される。カード繰り出し部にカセットが一旦装着されてしまうと、シャッター機構が開放した状態となり、カードの繰り出しが可能になる。
また、この構成によれば、カセットがカード繰り出し部に装着されると、シャッター部材の力点側がシャッター押圧部により押圧されて作用点側が排出口から移動し、カード排出口が開放される。
【０００８】
前記カード飛び出し防止機構において、前記シャッター部材のうち前記支点と前記力点との間には、前記凸部及び前記ガイド部の側に向けて弓状に湾曲した湾曲部が設けられており、前記カセット装着の際に、前記ガイド部が、前記湾曲部に沿って前記力点を前記凸部にガイドすることを特徴とする。
【０００９】
前記カード飛び出し防止機構において、前記シャッター部材の作用点側が前記カード排出口を塞ぐように、前記シャッター部材を付勢する付勢手段（例えば後述する弾性部３１に相当する構成要素）を備えたことを特徴とする。
この構成によれば、カセットがカード繰り出し部に装着されていない状態で、カード排出口を安定的に閉鎖することが可能になる。
【００１０】
また、この発明に係るカード収納用のカセットは、カード飛び出し防止機構を備えたカード収納用のカセットであって、前記機構として、当該カセットの底面側に設けられ、装着方向に沿って作用点と支点と力点とがこの順に配置され、前記作用点側がカード排出口を塞ぐように加工されたシャッター部材と、当該カセットが装着されるべきカード繰り出し部側に設けられ、当該カセットが前記カード繰り出し部に装着された状態にあるときに前記シャッター部材の力点側を押圧するように形成されたシャッター押圧部と、を備え、前記シャッター押圧部は、前記カセットが前記カード繰り出し部に装着された状態にあるときに前記力点の先端部に当接する凸部と、前記カセットの装着の際に、前記力点を前記凸部にガイドするガイド部と、を備えたことを特徴とする。
【００１１】
【発明の実施の形態】
以下、図１を参照しながら、この発明の実施形態に係るカード飛び出し防止機構について、カード販売機に装着されるカード収納用のカセットに適用した場合を例として説明する。このカード飛び出し機構は、商品としてのカードが収納されたカセットを、図示しないカード販売機側に設けられたカード繰り出し部に装着する過程において、カードの飛び出しを防止するものである。
【００１２】
図１（ａ）は、この実施の形態に係るカード収納用カセット１０の側視図（断面図）である。カセット１０には、商品であるカード２０が収納されており、その正面側の下部には、スリット状のカード排出口１１が設けられている。また、カセット１０の底面側には、カード販売機側に設けられたカード繰り出し部（図示省略）に対するカセットの装着方向（図１（ａ）中の矢印方向）に沿って、作用点３０Ａと、支点３０Ｂと、力点３０Ｃとがこの順に配置されたシャッター部材３０が回動可能に設けられている。
【００１３】
シャッター部材３０の作用点３０Ａ側は、断面Ｌ字状に加工されており、この作用点３０Ａ側が上方に移動した状態にある場合にＬ状の屈曲部分がカード排出口１１を塞ぐようになっている。また、このシャッター部材３０の一部は、付勢用の弾性部３１として、作用点３０Ａとは反対側に支点３０Ｂ近傍から延出し、ピン状に屈曲してカセット１０の底面に当接している。この弾性部３１により、シャッター部材３０は、作用点３０Ａ側が上方に回動してカード排出口１１を塞ぐように適切な弾性力で常時付勢されている。
【００１４】
図１（ｂ）は、カード収納用カセット１０をカード繰り出し部に装着した状態を示す側視図（断面図）である。同図において、フレーム４０は、カード販売機に設けられたカード繰り出し部の底面をなすものであって、上述のカセット側に設けられたシャッター部材３０の力点３０Ｃの位置に合わせて、凸部４１とガイド部４２とが形成されている。凸部４１は、カセット１０がカード繰り出し部に装着された状態にあるときにシャッター部材３０の力点３０Ｃ側を押圧するものであり、ガイド部４２は、カセットを装着する過程において、力点３０Ｃを凸部４１にガイドするためのものである。これら凸部４１およびガイド部４２は、シャッター部材３０の力点３０Ｃ側を押圧するシャッター押圧部を形成し、上述のシャッター部材３０および弾性部３１と共にシャッター機構を構成する。
【００１５】
なお、図１では特に図示していないが、カセット１０が装着されるべきカード繰り出し部は、そのフレーム４０に凸部４１およびガイド部４２が形成されている点を除いて、前述の図２に示すものと同様であり、カセット内のカード２０を送り出すためのローラや、繰り出し時にカード２０に上方から抑えるためのレバーや、カードの排出を検知するためのセンサなどが設けられている。
【００１６】
以下、シャッター機構に着目して、この実施形態の動作を説明する。
カセット１０がカード繰り出し部に装着されておらず、シャッター部材３０の作用点３０Ｃに外力が作用していない状態では、図１（ａ）に示すように、シャッター部材３０が弾性部３１に付勢され、このシャッター部材３０の作用点３０Ａ側に形成されたＬ字状の屈曲部分がカード排出口１１を塞ぐ。従って、この状態ではシャッターが閉じられた状態となる。これに対し、カセット１０がカード繰り出し部に装着された状態では、図１（ｂ）に示すように、シャッター部材３０の力点３０Ｃがフレーム４０上の凸部４１に押圧されて押し上げられる。この結果、作用点３０Ａ側が下方に回動し、カセットのカード排出口１１が開放された状態となる。
【００１７】
このように、カセット１０の装着が完了するまではカセット１０の排出口１１がシャッター部材３０により塞がれた状態とされるので、カセット１０が勢いよくカード繰り出し部に装着され、内部のカードに慣性力や衝撃力が作用したとしても、カード排出口１１からカード２０が飛び出すことがなくなる。従って、カードの飛び出しに煩わされることなくカセット１０を装着することができ、カセットの交換作業を迅速に行うことができる。
なお、上述の実施の形態では、シャッター機構に着目して説明したが、本発明は、上述のシャッター機構を備えるカード収納用のカセット、あるいはカード販売機として把握することもできる。
【００１８】
以上、この発明の一実施形態を説明したが、この発明は、上述の実施形態に限られるものではなく、この発明の要旨を逸脱しない範囲の設計変更等があっても本発明に含まれる。例えば、上述の実施の形態では、弾性部３１によりシャッター部材３０を付勢するものとしたが、これに限定されることなく、シャッター部材３０の回動軸をスプリングにより付勢するものとしてもよい。
また、シャッター機構をカセット１０の底面側に取り付けるものとしたが、その側面側に取り付けるものとしてもよい。
【００１９】
さらに、シャッター部材３０のＬ字状の屈曲部でカード排出口１１を塞ぐものとしたが、カードの飛び出しが防止できる限度において、カード排出口１１の一部を塞ぐものとしてもよい。
さらにまた、弾性部３１によりシャッター部材３０を付勢するものとしたが、付勢することなく、手作業によりシャッターを閉状態に操作し、カード繰り出し部に装着されることにより開状態となるものとしてもよい。
【００２０】
【発明の効果】
以上説明したように、この発明によれば、カセットがカード繰り出し部に装着された状態にあるときにカセットのカード排出口を開放するシャッター機構を備えたので、カードの飛び出しを防止し、カセットの交換作業を簡単かつ迅速に行うことが可能になる。
また、前記シャッター機構として、カセットの装着方向に沿って作用点と支点と力点とがこの順に配置され、前記作用点側がカード排出口を塞ぐように加工されたシャッター部材と、前記カセットが装着された状態で前記シャッター部材の力点側を押圧するシャッター押圧部とを備えたので、カセットがカード繰り出し部に装着された状態のときにカード排出口を開放することが可能になる。
さらに、前記シャッター部材の作用点側がカード排出口を塞ぐように、該シャッター部材を付勢したので、カセットがカード繰り出し部に装着されていない状態のときにシャッター機構を安定的に閉状態に維持することが可能になる。
【図面の簡単な説明】
【図１】  この発明の実施の形態に係るカード飛び出し防止機構の構成およびその適用例を示す図である。
【図２】  従来技術に係るカード収納用のカセットおよびカード繰り出し部の構成例を示す図である。
【符号の説明】
１０…カード収納用のカセット、２０…カード、３０…シャッター部材、３０Ａ…作用点、３０Ｂ…支点、３０Ｃ…力点、３１…弾性部、４０…フレーム、４１…凸部、４２…ガイド部。
【図１】
0004082036.tif 000002
【図２】
0004082036.tif 000003